(57)【要約】【課題】吸込口の内側に位置するエアフィルタ等の内部構造が見えないように隠蔽し、かつ通風抵抗を低減し、空気の流れを渦流の生じないスムーズな流れとすることができ、ファンの送風性能を向上することができると共に、空気調和機の動作効率を向上することができる吸込グリルの構造を備えた空気調和機を提供する。【解決手段】本体に設けられた被空調室内空気を導入案内する吸込口４ａに、複数の横桟を有する吸込グリルを備えた空気調和機において、前記吸込グリルの横桟は、前端部から後端部に向け傾斜して配置され、その断面形状が、前後方向に曲面に形成されている。【選択図】  図３
2004340497.tif 000002
【特許請求の範囲】
【請求項１】
本体に設けられた被空調室内空気を導入案内する吸込口に、複数の横桟を有する吸込グリルを備えた空気調和機において、
前記吸込グリルの横桟は、前端部から後端部に向け傾斜して配置され、その断面形状が、前後方向に曲面に形成してなることを特徴とする空気調和機。
【請求項２】
前記吸込口が本体の前面下部に配設された床置型空気調和機の場合、前記横桟を前端部から後端部に向け上方に傾斜して配置してなることを特徴とする請求項１記載の空気調和機。
【請求項３】
前記吸込口が本体の前面に配設され、室内の上部壁面に据付けられた空気調和機の場合、前記横桟を前端部から後端部に向け下方に傾斜して配置してなることを特徴とする請求項１記載の空気調和機。
【請求項４】
前記横桟の断面形状を、前後方向に波形に形成してなることを特徴とする請求項１記載の空気調和機。
【請求項５】
前記横桟の前端部を円弧状に形成してなることを特徴とする請求項１記載の空気調和機。
【請求項６】
前記吸込グリルを前記本体に着脱自在に設けてなることを特徴とする請求項１記載の空気調和機。
【発明の詳細な説明】
【０００１】
【発明の属する技術分野】
本発明は、空気調和機の室内機に係り、特に詳しくは、できるだけ通風抵抗が少なく、しかも空気調和機の内部構造が見え難い吸込みグリルの構造に関するものである。
【０００２】
【従来の技術】
従来の、本体の前面下部に吸込口を、上部に吹出口を設け、吸込口に、平行な複数の横桟を備えた吸込グリルを設け、吸込口と吹出口を結ぶ空気通路に、エアフィルタと、送風機と、熱交換器とを設けてなる床置型空気調和機の場合、吸込グリルの横桟を例えば、図４（Ａ）に示すように、各横桟Ｓを前方下向きに傾斜させるとともに、各横桟Ｓの前端部に下方に若干立下がる立下り部Ｓ１を形成し、極力空気調和機の内部構造が見えないようにしていた。
【０００３】
しかし、吸込口の開口範囲が本体の前面の下半分に限られるために、通風抵抗を低減するには、各横桟Ｓの上下方向の間隔を広くとらざるを得ず、ある程度内部構造が見えてしまうのを犠牲にせざるを得なかった。
また、この構成では図４（Ｂ）に示すように、空気流が各横桟を通過する過程で複数の渦流が発生し、送風効率の低下を引起こす恐れがあった。
【０００４】
そこで、図５に示すような、空気調和機の吸込みグリル２ａにおいて、多段の格子（横桟）２４を所要の格子角度に変更できるものがあった（例えば、特許文献１参照）。
この目的は、送風機で発生した騒音の一部が吸込みグリル２ａから放出されるため、各格子の角度を変更して外部への騒音レベルを低くするものである。
しかし、騒音レベルを低くする各格子の最適角度と、空気調和機の内部構造が見えないようにする最適角度とを一致させることは困難であると思われる。
【０００５】
【特許文献１】
特開平６−１４７５３５号公報（要約、第１頁、第１図）
【０００６】
【発明が解決しようとする課題】
本発明は上記問題点に鑑みなされたもので、吸込口の内側に位置するエアフィルタ等の内部構造が見えないように隠蔽し、かつ通風抵抗を低減し、空気の流れを渦流の生じないスムーズな流れとすることができ、ファンの送風性能を向上することができると共に、空気調和機の動作効率を向上することができる吸込グリルの構造を備えた空気調和機を提供することを目的としている。
【０００７】
【課題を解決するための手段】
本発明は上記課題を解決するためなされたもので、本体に設けられた被空調室内空気を導入案内する吸込口に、複数の横桟を有する吸込グリルを備えた空気調和機において、
前記吸込グリルの横桟は、前端部から後端部に向け傾斜して配置され、その断面形状が、前後方向に曲面に形成してなる構成となっている。
【０００８】
また、前記吸込口が本体の前面下部に配設された床置型空気調和機の場合、前記横桟を前端部から後端部に向け上方に傾斜して配置してなる構成となっている。
【０００９】
また、前記吸込口が本体の前面に配設され、室内の上部壁面に据付けられた空気調和機の場合、前記横桟を前端部から後端部に向け下方に傾斜して配置してなる構成となっている。
【００１０】
また、前記横桟の断面形状を、前後方向に波形に形成してなる構成となっている。
【００１１】
また、前記横桟の前端部を円弧状に形成してなる構成となっている。
【００１２】
また、前記吸込グリルを前記本体に着脱自在に設けた構成となっている。
【００１３】
【発明の実施の形態】
以下、本発明の実施の形態を添付図面を参照して詳細に説明する。
本発明の空気調和機の実施例を床置型空気調和機を用いて説明する。図１は本発明における床置型空気調和機の全体概略構成を示す斜視図、図２は床置型空気調和機の概略断面図、図３は本発明における吸込グリルの横桟の要部拡大断面図で、（Ａ）は視線と横桟の関係を示した図、（Ｂ）は横桟に対する空気の流れを表わした図である。
図１、２において、１は本体、２は同本体１の下部正面に設けられた室内空気の吸込口、３は本体１内で熱交換された空気の吹出口で、４は前記吸込口に着脱自在に設けられ、平行な複数の横桟４ａを備えた吸込グリルである。
【００１４】
前記吸込グリル４の背面側にエアフィルタ５を着脱可能に装着すると共に、前記吸込口２と前記吹出口３を結ぶ空気通路の下部には送風口を上に向けた送風機６が、上部には前面を吹出口３に向けて傾斜させた熱交換器７が配設され、同熱交換器７で熱交換された空気を前記送風機６で吹出口３から室内に向けて送出するようになっている。
また、送風機６と熱交換器７との間にほぼ水平に設けられた仕切板８の上部前方には、本体１の正面を床に向け、断面形状が略Ｌ字状の露受皿９が配設された構成になっている。
【００１５】
前記吸込グリル４の複数の横桟４ａは、図３（Ａ）に示すように、互いに上下方向に所定間隔（ピッチ）ｈを存し、前端部ａから後端部ｂに向けて上方に所定角度で傾斜して配置され、その断面形状が、前後方向に波形に形成された構成となっている。
これにより、床置型空気調和機の下部正面に設けられた前記吸込グリル４を、同吸込グリル４の上部以上の高さから見た場合、即ち最上位の横桟４ａの前端部ａと、一段下の横桟４ａの後端部ｂとを結ぶ直線上の位置より高い所から見た場合、前記後端部ｂによって視界が遮られ、吸込口２の内側に位置するエアフィルタ５等の内部構造が見えないように隠蔽できる吸込グリル４となる。
【００１６】
また、前記吸込口２が本体１の前面に配設され、室内の上部壁面に据付けられた空気調和機の場合、前記横桟４ａを前端部ａから後端部ｂに向け下方に傾斜して配置してなる構成とすればよい。
【００１７】
また、図３（Ｂ）に示すように、波形の前記横桟４ａの前端部ａに円弧状の面取りを施すとともに、前記横桟４ａの間隔よって決まる吸込み通路の面積を拡大することにより、通風抵抗を低減でき、かつ空気の流れを渦流の生じないスムーズな流れとすることができるため、ファンの送風性能を向上することができるとともに、空気調和機の動作効率を向上することができる。
【００１８】
また、前記吸込グリル４を前記本体に着脱自在に設けた構成とすることにより、吸込グリル４の清掃が容易にできる。
【００１９】
以上に説明したように、前記吸込グリル４の複数の横桟４ａが、互いに上下方向に所定間隔（ピッチ）ｈを存し、前端部ａから後端部ｂに向けて上方に所定角度で傾斜して配置され、その断面形状が、前後方向に波形に形成され、かつ横桟４ａの前端部ａに円弧状の面取りを施す構成とすることにより、吸込口２の内側に位置するエアフィルタ５等の内部構造が見えないように隠蔽し、かつ通風抵抗を低減し、空気の流れを渦流の生じないスムーズな流れとすることができ、ファンの送風性能を向上することができるとともに、空気調和機の動作効率を向上することができる空気調和機となる。
【００２０】
【発明の効果】
以上説明したように本発明によれば、吸込口の内側に位置するエアフィルタ等の内部構造が見えないように隠蔽し、かつ通風抵抗を低減し、空気の流れを渦流の生じないスムーズな流れとすることができ、ファンの送風性能を向上することができると共に、空気調和機の動作効率を向上することができる吸込グリルの構造を備えた空気調和機となる。
【図面の簡単な説明】
【図１】本発明における床置型空気調和機の全体概略構成を示す斜視図である。
【図２】本発明における床置型空気調和機の概略側断面図である。
【図３】本発明における吸込グリルの横桟の要部拡大断面図で、（Ａ）は視線と横桟の関係を示した図、（Ｂ）は横桟に対する空気の流れを表わした図である。
【図４】従来例の吸込グリルの横桟の一例を示す要部拡大断面図で、（Ａ）は視線と横桟の関係を示した図、（Ｂ）は横桟に対する空気の流れを表わした図である。
【図５】従来例の床置型空気調和機の全体概略構成を示す概略断面図である。
【符号の説明】
１  本体
２  吸込口
３  吹出口
４  吸込グリル
４ａ  横桟
５  エアフィルタ
６  送風機
７  熱交換器
８  仕切板
９  露受皿
ａ  前端部
ｂ  後端部
【図１】
2004340497.tif 000003
【図２】
2004340497.tif 000004
【図３】
2004340497.tif 000005
【図４】
2004340497.tif 000006
【図５】
2004340497.tif 000007